(57)【要約】【課題】  ソーラシミュレータとして応答性が遅い、つまり、定格出力に到達するのに時間がかかる太陽電池でもその特性の測定を可能とし、更に、測定の高精度化を実現できる画期的なソーラシミュレータ用発光回路を提供すること。【解決手段】  電極間の電気的な絶縁状態を破壊する電位をガラス管の外から印加するソーラシミュレータの光源たるキセノンランプ４の発光回路を、電極間の電気的な絶縁状態を破壊する電位を出力するトリガパルス電圧を発生する第１電源１と、電極間の電気的な絶縁状態を破壊する電位を印加した直後の電極間の絶縁破壊状態から主放電を誘発する電位を出力する第２電源２と、主放電が開始されてから更にキセノンランプ４内の管内の電気的抵抗と主放電の電流値から求められる電位を維持し、猶且つ主放電の電流を維持できる第３電源３とにより構成したこと。【選択図】図２
2007095928.tif 000002
【特許請求の範囲】
【請求項１】
電極間の電気的な絶縁状態を破壊する電位をガラス管の外から印加するソーラシミュレータの光源たるキセノンランプの発光回路を、電極間の電気的な絶縁状態を破壊する電位を出力するトリガパルス電圧を発生する第１電源と、電極間の電気的な絶縁状態を破壊する電位を印加した直後の電極間の絶縁破壊状態から主放電を誘発する電位を出力する第２電源と、主放電が開始されてから更にキセノンランプ内の管内の電気的抵抗と主放電の電流値から求められる電位を維持し、猶且つ主放電の電流を維持できる第３電源とにより構成したことを特徴とするソーラシミュレータ用発光回路。
【請求項２】
第３電源には安定化電源を用いた請求項１のソーラシミュレータ用発光回路。
【請求項３】
第３電源には、コンデンサを用いた請求項１又は２のソーラシミュレータ用発光回路。
【請求項４】
電極間の電気的な絶縁状態を破壊する電位をガラス管の外から印加するソーラシミュレータの光源たるキセノンランプの発光回路を、電極間の電気的な絶縁状態を破壊する電位を出力するトリガパルス電圧を発生する第１電源と、電極間の電気的な絶縁状態を破壊する電位を印加した直後の電極間の絶縁破壊状態から主放電を誘発する電位を出力する第２電源機能と第３電源機能を兼ね備えたコンデンサとこれを充電する安定化電源を組み合わせた兼用電源により構成したことを特徴とするソーラシミュレータ用発光回路。
【請求項５】
発光回路は、キセノンランプに対する電流制御回路、又は、電圧制御回路を備えた請求項１〜４のいずれかのソーラシミュレータ用発光回路。
【請求項６】
キセノンランプに対してその光量センサーを配備し、該センサーによる検出信号を電流制御回路、又は、電圧制御回路にフィードバックさせて前記制御回路を制御することにより、前記ランプの光量を安定させるようにした請求項５のソーラシミュレータ用発光回路。
【発明の詳細な説明】
【技術分野】
【０００１】
本発明は、太陽電池の出力特性を測定するために光源ランプを擬似太陽光として発光させるソーラシミュレータ用発光回路に関する。
【背景技術】
【０００２】
太陽電池はクリーンなエネルギ源として増々その重要性が認められて需要が高まり、また、大型機器類のパワーエネルギ源から精密な電子機器分野での小型電源まで、様々な分野での需要も高まっている。
【０００３】
太陽電池が様々な分野で広く利用されるには、当該電池の特性、とりわけ出力特性が正確に測定されていないと、太陽電池を使用する側においても様々な不都合が予測される。このため従来から太陽電池の出力特性を測定するための擬似太陽光照射装置（以下、ソーラシミュレータという）が提案され実用にも供されている。
【０００４】
このようなソーラシミュレータにより太陽電池の出力特性を測定する場合、光源ランプの点灯光を照射してからその太陽電池が所定出力に達するまでに長い時間がかかるものがある。例えば、特殊な単結晶太陽電池や薄膜太陽電池では、多結晶シリコン太陽電池に比べ、所定出力に達するまでの時間が約１０倍程度かかる。一方、太陽電池の出力特性の測定を更に高精度化したいという要求もある。このような状況からソーラシミュレータの光源ランプについては、数１００ｍ秒〜数秒程度の照度を安定化した連続発光が求められるようになってきている。
【０００５】
ところで、従来のキセノンランプの発光回路には、一例として図９に示すようなものが使用されていた。即ち、この発光回路はキセノンランプＸＬの電極間の電気的な絶縁状態を破壊する電位を出力するトリガパルス発生回路を主体とする電源Ｂと、電極間の電気的な絶縁状態を破壊する電位を印加した直後の電極間の絶縁破壊状態から主放電を誘発する電位を出力する電源Ａと、電源Ａにより蓄電されるコンデンサＣ１により構成されている。
【０００６】
しかし、前記電源Ａには、最大出力可能電流が数百ｍＡから数Ａ程度の物を使用するのが一般的であり、主放電に伴う放電電流は、もっぱらコンデンサＣ１から供給される。
従って、ランプＸＬが発光する時間は、コンデンサＣ１の容量に依存するが、電極間の絶縁破壊状態から主放電を誘発する電位は、例えば放電電極間の距離が１０００ｍｍ程度のキセノンランプの場合には、２０００Ｖ〜３０００Ｖ程度の電位を必要とする。
【０００７】
上記の事情に鑑みると、コンデンサＣ１の選定には、相応の耐圧性能を有することが必須条件になるが、このような耐圧条件を満たす市販のコンデンサは数μＦ〜数十μＦ程度の物が一般的で、これを使用した場合、約１ｍ秒の時間しか発光を維持できない。また、コンデンサＣ１が放電する場合、そのコンデンサＣ１の放電カーブに伴う電圧変動に依存してランプの発光光量が変化するため（図８参照）、安定的な光量が得られない。このため、太陽電池の測定を実施する際には、１つの太陽電池に対して数１０回〜１３０回程度の発光を行うことで試験を行っているのが現状である。
この結果、複数回の発光に対する発光光量の変動に伴う測定値の変動や、１つの太陽電池に対する測定時間が短縮できないといった問題がある。
【０００８】
一方、光源のキセノンランプを長時間発光させるための発光回路も知られてはいる。図１０，図１１がその構成例である。即ち、図１０，図１１の発光回路では、長時間発光のために、主放電の電圧供給源を大型，大容量の電源Ａとして構成しているが、光源ランプが、例えば、放電電極間の距離が１０００ｍｍ程度のキセノンランプであると、２０００Ｖ〜３０００Ｖ程度の電位を必要とし、猶且つ主放電には３０Ａ程度の電流が流れる。このような高電位，大電流の仕様を満たす電源は６０ＫＷ〜９０ＫＷ程度の大型電源を不可欠とするため、ソーラシミュレータの大型化を招来して装置コストの増大を招くという問題がある。
【０００９】
上記のようにソーラシミュレータにおける放電ランプの発光時間が短いため、太陽電池の出力測定が精度良くできないという問題を解決するための手段としてキセノンランプを長時間発光させる手法が、ソーラシミュレータの分野では特許文献１や特許文献３に、また写真撮影用照明装置の分野では特許文献２などとして提案されている。
【００１０】
特許文献１では、定格電流以下の電流でランプを点灯し続けている状態から、高電流を流す時間を設定し、測定時に定格電流を超える電流を流して、１ＳＵＮを一定時間確保するソーラシミュレータが開示され、１つの電源とスタータ（高電圧発生装置）により構成される発光回路が提案されている。しかし、この提案の技術は、ランプを発光しない時でもランプ定格の半分の電流が常時流れ続けているので、常時電力を消費するだけでなく、光学部品は常時発熱状態にあるため寿命の面で問題がある。
【００１１】
特許文献２では、写真撮影用の分野で連続点灯回路および瞬間発光させる回路が組み込まれた点灯回路を具備する発光回路が提案されている。この技術による連続発光は、用途が写真撮影用ということでモデリングランプ光の弱い光を対象にしたものである。しかし乍ら、ソーラシミュレータによって大型でしかも応答性の遅い太陽電池の出力特性の測定をおこなう場合、長時間高出力発光させる必要があるので、この要請に応えるには電源容量を大きくする必要があるので、電源が巨大化するという問題がある。
【００１２】
一方、特許文献３では、特許文献１の回路構成に放電パルス電流や非照射時のパルス電流のピーク値制御回路を追加することにより送配電設備の簡便化とノイズ発生の抑制手段を提案している。しかしながら、特許文献１の技術と同じように、ランプを発光しない時でもランプ定格の半分の電流が常時流れ続けているので、常時電力を消費するだけでなく、光学部品は常時発熱状態にあるので、寿命の面での問題は解決されない。
【特許文献１】特公平６−１０５２８０号公報
【特許文献２】特許第２７７２８０３号公報
【特許文献３】特許第２８８６２１５号公報
【発明の開示】
【発明が解決しようとする課題】
【００１３】
本発明は、従来のソーラシミュレータにおける発光回路における上述した種々の問題点に鑑み、これらの問題点をことごとく解消することができるのみならず、ソーラシミュレータとして応答性が遅い、つまり、定格出力に到達するのに時間がかかる太陽電池でもその特性の測定を可能とし、更に、測定の高精度化を実現できる画期的なソーラシミュレータ用発光回路を提供することを課題とする。
【課題を解決するための手段】
【００１４】
上記課題を解決することを目的としてなされた本発明発光回路の構成は、電極間の電気的な絶縁状態を破壊する電位をガラス管の外から印加するソーラシミュレータの光源たるキセノンランプの発光回路を、電極間の電気的な絶縁状態を破壊する電位を出力するトリガパルス電圧を発生する第１電源と、電極間の電気的な絶縁状態を破壊する電位を印加した直後の電極間の絶縁破壊状態から主放電を誘発する電位を出力する第２電源と、主放電が開始されてから更にキセノンランプ内の管内の電気的抵抗と主放電の電流値から求められる電位を維持し、猶且つ主放電の電流を維持できる第３電源とにより構成したことを特徴とするものである。
【００１５】
上記課題を解決することができる本発明発光回路としては、電極間の電気的な絶縁状態を破壊する電位をガラス管の外から印加するソーラシミュレータの光源たるキセノンランプの発光回路を、電極間の電気的な絶縁状態を破壊する電位を出力するトリガパルス電圧を発生する第１電源と、電極間の電気的な絶縁状態を破壊する電位を印加した直後の電極間の絶縁破壊状態から主放電を誘発する電位を出力する第２電源機能と、主放電が開始されてから更にキセノンランプ内の管内の電気的抵抗と主放電の電流値から求められる電位を維持し、猶且つ主放電の電流を維持できる第３電源機能を兼ね備えたコンデンサとこれを充電する安定化電源を組み合わせた兼用電源により構成したことを特徴とするものもある。
【００１６】
本発明発光回路の第３電源としては、安定化電源を用いることができる。そして、安定化電源には、電気二重層コンデンサ（キャパシター）等のコンデンサを用いることができる。
【００１７】
本発明発光回路には、キセノンランプに対する電流制御回路、又は、電圧制御回路を備えることができる。
【００１８】
また、上記の構成の発光回路において、キセノンランプに対してその光量センサーを配備し、該センサーによる検出信号を電流制御回路、又は、電圧制御回路にフィードバックさせて前記制御回路を制御することにより、前記ランプの光量を安定化させることができる。
本発明による構成では、主放電を開始してから所要の時間発光を維持しても、第３電源よりランプへ電流を供給できるだけの電荷があるので、これを遮断する機器（例えば、スイッチ）を設けている。
【発明の効果】
【００１９】
本発明では、太陽電池の出力特性の測定を行うためのソーラシミュレータの光源装置におけるキセノンランプの発光回路を、初期絶縁破壊を行うトリガパルス電圧を発生する第１電源と、前記ランプに主発光放電を開始させる電圧を印加する第２電源と、当該ランプにその主発光放電による目標光量を維持させる電圧を印加する第３電源とから構成することにより、連続発光させる電源装置をコンパクト化できる。この効果は、請求項４に記載した第２電源機能と第３電源機能を一つの電源にまとめた本発明発光回路の別の構成によっても得ることができる。
【００２０】
また、本発明では、発光回路の第３電源に、安定化電源やキャパシターを使用することにより、更に電源装置を格段にコンパクト化し、光量を安定化した状態でキセノンランプを数１００ｍ秒〜数秒程度の連続発光をさせることができた。これにより応答性が遅いタイプの太陽電池の出力測定が可能になった。
【００２１】
さらに、本発明では発光回路の第３電源にキャパシターを使用し、電流制御回路や電圧制御回路を用いると共に、キセノンランプに光量センサーを付加しそのセンサーによって検知された光量信号を前記電流制御回路や電圧制御回路に帰還させることにより、応答性よく光量を一定に制御することが可能になってソーラシミュレータの測定精度を向上させることができる。
【発明を実施するための最良の形態】
【００２２】
次に、本発明の実施の形態例について、図に拠り説明する。図１は、本発明におけるキセノンランプの発光時におけるランプ電圧の変化を示した波形図、図２は本発明におけるキセノンランプの発光回路の形態例１と同２を説明するためのブロック図、図３は本発明におけるキセノンランプの発光回路の形態例３を説明するためのブロック図、図４は本発明におけるキセノンランプの発光回路の形態例４を説明するためのブロック図、図５は本発明におけるキセノンランプの発光回路の形態例５を説明するためのブロック図、図６は本発明におけるキセノンランプの発光回路の形態例６を説明するためのブロック図、図７は本発明におけるキセノランプの発光回路の形態例７を説明するためのブロック図、図８は、従来のキセノンランプの発光回路におけるランプ電圧の変化を模式的に示した波形図、図９〜図１１はそれぞれ従来のキセノンランプの発光回路を例示したブロック図である。
【００２３】
まず、本発明発光回路の形態例１について図２に沿って説明する。１は、キセノンランプ４に対しトランス1ｂの二次側に初期の絶縁破壊を行う電圧を発生させるトリガパルス発生回路１ａを備えた電源回路で、本発明発光回路の第１電源である。２は、キセノンランプ４に主発光のための放電を開始させる電圧を発生する直流電源Ｂによる第２電源である。３は、キセノンランプ４に目標光量の放電を維持させるための電圧を発生する直流電源Ａによる第３電源である。ここで、図示したキセノンランプ４は、放電間距離が１００ｍｍ以上あり電極間の電気的な絶縁状態を破壊する電位をガラス管の外から印加できる形状のもであれば良い。なお、図２において、ｄ１，ｄ２は逆流防止素子（ダイオード）である。
【００２４】
次に、直流電源Ｂによる第２電源２と直流電源Ａによる第３電源３について説明する。第２電源２は絶縁破壊状態から主放電を誘発するのに必要な電位を供給する。しかし、主放電は第３電源３で行う。第２電源２はコンデンサーを使用して、電荷を蓄めるようにすることにより小容量化できる。キセノンランプ４に主放電を持続させるための直流電源Ａによる第３電源３は、当該ランプ４に絶縁破壊状態から主放電を誘発させる電位を出力する直流電源Ｂによる第２電源２と比べて出力が低電圧ですむ。従って、従来技術（図１０，図１１）に比べて電源容量が小さくて足りる。
例えば、放電電極間の距離が３００ｍｍ程度のキセノンランプ４に公知のトリガパルス発生回路１ａに接続したトランス１ｂの２次側をランプ４に対置した状態で、第２電源２である直流電源Ｂの電位は約５００Ｖ程度、第３電源３である直流電源Ａの電位は１００Ｖ〜４００Ｖ程度、主放電電流１００Ａ〜２００Ａ程度となる。この場合、第２電源２たる直流電源Ｂは、絶縁破壊状態から主放電を誘発するまでの時間が１ｍ秒以下の短い時間であるため、耐圧５００Ｖ以上の１０μＦ程度のコンデンサに５００Ｖまでの電位を供給できる能力の電源が必要になる。
【００２５】
因みに、本発明回路を備えたソーラシミュレータは、キセノンランプ４の１回の点灯に対して、例えば、数秒以上の待ち時間を設定するため、コンデンサへの充電時間が、コンデンサの放電時間に比べ数十倍以上あり得ることから、出力電流は待ち時間と発光時間の対比から、例えば数Ａ程度の電源でよく、一例として、出力電流を２Ａとすれば１ＫＷ程度の小型の電源で足りる。一方、第３電源３の直流電源Ａは、１００Ａの出力を要求された場合には、主放電を維持する電圧は１００Ｖの場合、１０ＫＷの電源に相当する。
【００２６】
一方、図９〜図１１のような従来の回路構成であれば、図９〜図１１における電源Ｂ（本発明の第２電源２に相当）は、絶縁破壊状態から主放電を誘発する電位を出力する性能と、主放電の電流を出力する性能の両方を持ち合わせる必要があるため、５００Ｖ×１００Ａ＝５０ＫＷとなり、上述した本発明光源装置における第３電源３たる直流電源Ａの５倍以上の容量が必要になる。
【００２７】
本発明では、上記の形態例１のように、キセノンランプ４の発光回路を、トリガパルス発生回路（第１電源１）、主発光を行うための放電を開始する電圧を発生する電源回路（第２電源２）、及び、目標の光量を維持するための電圧を発生する電源回路（第３電源３）とに分けた構成とすることにより、各電源回路を格段に小型化して連続発光を可能とするのみならず、キセノンランプ４の電圧変動を無くし光量の安定化を実現することができる。また、本発明における発光回路は、キセノンランプ４を発光させる時のみ回路を起動させればよく、それ以外の状態では発光回路の起動はないので、ソーラシミュレータ内の光学部品の熱的な負荷を極力抑えることができることはいうまでもない。
【００２８】
次に、上述した本発明におけるキセノンランプ４の発光回路の形態例１について、その動作を説明する。まず、トリガパルス発生回路１ａ（第１電源１）に点灯開始信号１０が加えられる。この点灯開始信号１０の入力は、ソーラシミュレータを操作する作業者が起動釦などを押す手動操作、或は、自動運転などの自動操作の場合はパソコンなどの制御装置から出力するスタート信号によりなされる。
【００２９】
点灯開始信号１０がトリガパルス発生回路１ａに加えられると、出力トランス１ｂの二次側からキセノンランプ４のガラス管の外周に数ＫＶのトリガパルスが印加される。このトリガパルスによりキセノンランプ４内で対向した電極４ａ，４ｂ間の電気的な絶縁状態が破壊される。この後、直流電源Ｂ（第２電源２）が起動し４５０Ｖ程度の放電待機電圧をキセノンランプ４の電極４ａ，４ｂ間に印加する。これにより内部での主放電が誘発され、キセノンランプ４の管内抵抗は、数ＭΩ以上の状態から急激に低下し数Ω以下（ランプによって異なる）になる。更に、この後、直流電源Ａ（第３電源３）が起動し１３０Ｖ程度の放電維持電圧を当該キセノンランプ４の電極４ａ，４ｂ間に印加する。これによりキセノンランプ４の内部で主放電が継続され、所定の光量で連続発光しそれが所要時間（数１００ｍ秒〜数秒）維持される。
【００３０】
本発明における実施の形態例２は、図２の直流電源Ａ（第３電源３）を安定化電源としたものである。その動作は先に述べた実施の形態例１の場合と同様である。安定化電源としては、電圧１００Ｖ〜４００Ｖに対して電流１００Ａ〜２００Ａの出力が可能なものを用いる。これにより連続発光を数１００ｍ秒〜数秒とすることが可能であるばかりでなく、定格出力が得られるまでに時間を要する応答性がかなり遅い太陽電池の出力測定も充分可能となる。
【００３１】
本発明における実施の形態例３は、先の形態例における第３電源を、図３に例示するように充電用電源５とキャパシター６（電気二重層コンデンサ６ともいう）を主体に構成される直流電源Ａを第３電源３１としている。また、連続発光させたときの光量を安定化させるために電流制御回路７を付加している。電流制御回路７は、特に限定されたものではなく公知の回路を使用することができる。ここでキャパシター６は、数Ｆ程度の容量のものである。この構成により１５秒程度の点灯サイクルで数１００ｍ秒〜数秒程度の連続発光をさせることが可能である。
【００３２】
図３の例では直流電源Ａ（第３電源３１）にキャパシター６を用いたが、このキャパシター６はその内部抵抗が小さいことによりキセノンランプ４の発光時に必要な電流を取り出すことが可能であり、従って、電源装置を更に小型化することができる。また、キャパシター６の内部抵抗が小さいことからキセノンランプ発光時のキャパシター６の発熱も小さく、従って、電源冷却用の補機も不要となるので、これが電源装置の更なる小型化に寄与する。
【００３３】
本発明における形態例４は、図４に示すように電極間の電気的な絶縁状態を破壊する電位を印加した直後の電極間の絶縁破壊状態から主放電を誘発する電位を出力する第２電源２の機能と、主放電が開始されてから更にキセノンランプ内の管内の電気的抵抗と主放電の電流値から求められる電位を維持し、猶且つ主放電の電流を維持できる第３電源３の機能を兼ね備えたキャパシター６（電気二重層コンデンサ６）とこれを充電する安定化電源５を組み合わせて、兼用電源３２にしたものである。
【００３４】
先にも述べたように、放電電極間の距離が３００ｍｍ程度のキセノンランプに公知のトリガパルス発生回路を接続した状態で、直流電源Ｂ（第２電源２）の電位は約４００Ｖ〜５００Ｖ、直流電源Ａ（第３電源３）の電位は１００Ｖ〜４００Ｖ程度、主放電電流が１００Ａ〜２００Ａ程度となる。この場合、直流電源Ｂ（第２電源２）については、絶縁破壊状態から主放電を誘発するまでの時間が１ｍ秒以下の短い時間であるため、耐圧５００Ｖ以上の１０μＦ程度のコンデンサに５００Ｖまでの電位を供給できる能力の電源が必要になる。
従って、この形態例４の構成では、電気二重層コンデンサ６として２５Ｆで１００Ｖ程度の能力のもを６個直列に組み合わせることにより６００Ｖで約４Ｆの電源とすることができる。これにより第２電源２と第３電源３の機能を１つの電源３２で兼用できるので、電源装置の更に小型化が可能となる。なお、この形態例４においても、電流制御回路７を配置している。
【００３５】
本発明における実施の形態例５は、図５のように第３電源３１となる直流電源Ａを、図３の例の場合と同様に、充電用電源５とキャパシター６を主体に構成しているが、この例では連続発光するため光量を安定化させるため、図３の例における電流制御回路７に代え、電圧制御回路８を付加している。電圧制御回路８は、電流制御回路７の場合と同じように特に限定されたものではなく公知の回路を使用することができる。この構成により先の実施の形態例３と同様の効果を実現することができる。
【００３６】
本発明における実施の形態例６は、図６に例示するように、直流電源Ａ（第３電源３１）を、図４，図５の例と同様に、充電用電源５とキャパシター６から構成しているが、実施の形態例３に示した電流制御回路７を備えた回路に、キセノンランプ４の光量を検知する光量センサー９を付加したものである。ここで、光量センサー９からの検知信号は、電流制御回路７に帰還させることにより光量の安定化を更に高めることができる。光量センサー９は、キセノンランプ４からの光量を検知できる機能を有するものであれば足り、特に限定されたものではない。一例として太陽電池セルを使用することができる。なお、形態例３と同５における電流制御回路７は、キセノンランプ４の陽極側に配置してもよい。
【００３７】
本発明における実施の形態例７は、図７に例示するように直流電源Ａ（第３電源３１）を充電用電源５とキャパシター６から構成する点は、図４〜図６の例と同様であるが、ここでは実施の形態例５の電圧制御回路８を備えた回路にキセノンランプ４の光量を検知する光量センサー９を付加したものである。光量センサー９からの検知信号は、電圧制御回路８に帰還させることにより実施の形態例６の場合と同様な効果を実現することができる。なお、図２〜図７において、３３は回路を遮断する機器、例えば、開閉スイッチ、ｄ１〜ｄ３は逆流防止素子（ダイオード）、Ｒは抵抗，Ｃはコンデンサである。
【産業上の利用可能性】
【００３８】
本発明は以上の通りであって、ソーラシミュレータの光源となるキセノンランプの発光回路をトリガパルス発生回路を主体にした第１電源と、放電待機電圧の発生回路として作用する第２電源、及び、放電維持電圧の発生回路として作用する第３電源に分けて形成することを基本構成としたものであるから、以下に述べる効果が得られ、ソーラシミュレータ用発光回路としてきわめて有用である。
(1)  キセノンランプを長時間の連続発光をさせる場合に必要な容量の電源を従来技術に比べ格段に小型のものとすることができる。
(2)  キセノンランプを連続発光させる場合でもその光量を安定に維持することができる。従って、ソーラシミュレータによる太陽電池の出力特性の測定の高精度化が可能となる。
(3)  キセノンランプを連続発光できるので、応答性が遅い太陽電池でも出力特性を充分高精度に測定することができる。
(4)  電源にキャパシター（電気二重層コンデンサ）を使用することにより必要な容量の電源を更に小型化することができる。また連続発光してもキャパシタの内部抵抗が小さいので電源内に熱発生が少なく、電源装置に冷却装置などの補機が不要となる。
(5)  応答性がかなり遅い太陽電池もキセノンランプを数１００ｍ秒〜数秒の時間、１回発光させるだけで確実に出力特性を測定できるのでキセノンランプ自体の寿命の向上につながる。
(6)  電源装置を格段に小型化できるのでソーラシミュレータ全体の省スペース化が可能となる。
(7)  測定する時のみ発光させるので、常時点灯させる必要がなく、光学部品の劣化が少なくてすむ。
【図面の簡単な説明】
【００３９】
【図１】本発明発光回路におけるキセノンランプの発光時におけるランプ電圧の変化を示した波形図。
【図２】本発明発光回路の形態例１と同２を説明するためのブロック図。
【図３】本発明発光回路の形態例３を説明するためのブロック図。
【図４】本発明発光回路の形態例４を説明するためのブロック図。
【図５】本発明発光回路の形態例５を説明するためのブロック図。
【図６】本発明発光回路の形態例６を説明するためのブロック図。
【図７】本発明発光回路の形態例７を説明するためのブロック図。
【図８】従来の発光回路におけるランプ電圧の変化模式的に示した波形図。
【図９】従来の発光回路の第一例のブロック図。
【図１０】従来の発光回路の第二例のブロック図。
【図１１】従来の発光回路の第三例のブロック図。
【符号の説明】
【００４０】
１        第１電源
１ａ      トリガパルス発生回路
１ｂ      トランス
２        第２電源（直流電源Ｂ）
３，３１  第３電源（直流電源Ａ）
３２      兼用電源
４        キセノンランプ
５        充電用電源
６        キャパシター
７        電流制御回路
８        電圧制御回路
９        光量センサ
１０      点灯開始信号
【図１】
2007095928.tif 000003
【図２】
2007095928.tif 000004
【図３】
2007095928.tif 000005
【図４】
2007095928.tif 000006
【図５】
2007095928.tif 000007
【図６】
2007095928.tif 000008
【図７】
2007095928.tif 000009
【図８】
2007095928.tif 000010
【図９】
2007095928.tif 000011
【図１０】
2007095928.tif 000012
【図１１】
2007095928.tif 000013
【手続補正書】
【提出日】平成18年1月11日(2006.1.11)
【手続補正１】
【補正対象書類名】明細書
【補正対象項目名】００３７
【補正方法】変更
【補正の内容】
【００３７】
本発明における実施の形態例７は、図７に例示するように直流電源Ａ（第３電源３１）を充電用電源５とキャパシター６から構成する点は、図４〜図６の例と同様であるが、ここでは実施の形態例５の電圧制御回路８を備えた回路にキセノンランプ４の光量を検知する光量センサー９を付加したものである。光量センサー９からの検知信号は、電圧制御回路８に帰還させることにより実施の形態例６の場合と同様な効果を実現することができる。なお、図２〜図７において、３３は回路を開閉する、例えば、開閉スイッチ、ｄ１〜ｄ３は逆流防止素子（ダイオード）、Ｌはコイル，Ｃはコンデンサである。また、前記スイッチ３３が開状態から閉状態になると、点灯開始信号１０が出力されてキセノンランプ４が発光開始し、一定時間（約１００ｍ秒〜数秒）経過後、前記スイッチ３３は開状態に戻る。
【手続補正２】
【補正対象書類名】図面
【補正対象項目名】図３
【補正方法】変更
【補正の内容】
【図３】
2007095928.tif 000014
【手続補正３】
【補正対象書類名】図面
【補正対象項目名】図５
【補正方法】変更
【補正の内容】
【図５】
2007095928.tif 000015
【手続補正４】
【補正対象書類名】図面
【補正対象項目名】図６
【補正方法】変更
【補正の内容】
【図６】
2007095928.tif 000016
【手続補正５】
【補正対象書類名】図面
【補正対象項目名】図７
【補正方法】変更
【補正の内容】
【図７】
2007095928.tif 000017